(57)【要約】  【課題】  光ディスクの外周側学習エリアの記録特性がデータエリアと異なる場合であっても、外周側学習エリアで学習した記録用レーザパワーを、データエリアで最適となるように補正することのできる光ディスク装置を提供する。  【解決手段】  内周側学習エリアと外周側学習エリアで、同一の線速度で記録用レーザパワー学習を行い、両者のパワーの関係から内外周差補正係数を算出し、その補正係数を用いて外周側学習エリアで学習した記録用レーザパワーを補正する。【選択図】  図３
2006172529.tif 000002
【特許請求の範囲】
【請求項１】
データエリアの内周側および外周側に記録用レーザパワーを学習することができる内周側学習エリアおよび外周側学習エリアを有する光ディスクにデータを記録する場合に、
光ディスクへのデータ記録に先立って、少なくとも１種類以上の同一線速度で前記内周側学習エリアと前記外周側学習エリアにおいて各々前記記録用レーザパワーの学習処理を実行して、前記内周側学習エリアで学習した前記記録用レーザパワーと前記外周側学習エリアで学習した前記記録用レーザパワーの関係から前記記録用レーザパワーの内外周補正係数を算出し、前記内外周補正係数を用いて前記外周側学習エリアで学習した記録用レーザパワーの値を補正することを特徴とした光ディスク装置。
【請求項２】
前記内外周補正係数は、前記内周側学習エリアの前記記録用レーザパワーの学習結果と前記外周側学習エリアの前記記録用レーザパワーの学習結果の比率とすることを特徴とした請求項１に記載の光ディスク装置。
【請求項３】
前記内外周補正係数は、前記内周側学習エリアの前記記録用レーザパワーの学習結果と前記外周側学習エリアの前記記録用レーザパワーの学習結果の比率を複数の同一線速度で算出して平均化することを特徴とした請求項１に記載の光ディスク装置。
【請求項４】
データエリアの内周側および外周側に記録用レーザパワーを学習することができる内周側学習エリアおよび外周側学習エリアを有する光ディスクにデータを記録する場合に、
光ディスクへのデータ記録に先立って、少なくとも１種類以上の同一線速度で前記内周側学習エリアと前記外周側学習エリアにおいて各々前記記録用レーザパワーの学習処理を実行し、前記内周側学習エリアで学習した前記記録用レーザパワーと前記外周側学習エリアで学習した前記記録用レーザパワーの比率が所定範囲外であれば、前記外周側学習エリアでの前記レーザパワーの学習結果を使用せず、前記内周側学習エリアで学習可能な最大線速度を記録最大線速度として、前記データエリアにデータを記録することを特徴とした光ディスク装置。
【請求項５】
前記外周側学習エリアで学習した前記記録用レーザパワーに対する前記内周側学習エリアで学習した前記記録用レーザパワーの比率の前記所定範囲は、０．９以上、１．１以下の範囲とすることを特徴とした請求項４に記載の光ディスク装置。
【発明の詳細な説明】
【技術分野】
【０００１】
本発明は、光ディスクに情報を記録することができる光ディスク装置に関するものであり、より詳細には、光ディスク装置の記録用レーザパワーを決定する技術に関する。また特に記録用レーザパワーを学習するためのエリアを、データエリアの内周側と外周側に有する光ディスクに記録をおこなう場合に好適なものである。
【背景技術】
【０００２】
従来の光ディスク装置は、スピンドルモータの駆動能力や光ディスク装置の振動等によって決定される最大許容回転速度以下の回転速度でディスクを回転させ、かつ記録時間を短縮するために、光ディスクのデータエリアを複数のゾーンに分割して、外周側のゾーンほど線速度が速くなるように、ゾーン毎で線速度を切り替えながら記録を行うゾーンＣＬＶ（ＣＯｎｓｔａｎｔ  Ｌｉｎｅａｒ  ＶｅＬｏｃｉｔｙ）方式や、回転速度を一定に保った状態で線速度を連続的に変化させるＣＡＶ（Ｃｏｎｓｔａｎｔ  ＡｎｇｕｌＡｒ  ＶｅＬｏｃｉｔｙ）方式を用いている。
【０００３】
一般に、光ディスクにデータを記録するために必要なレーザパワーは、線速度に依存するため、ゾーンＣＬＶ方式やＣＡＶ方式の場合、各ゾーンまたは各線速度における最適記録用レーザパワーを予め学習しておく必要がある。
【０００４】
内周側学習エリアのみを有する光ディスクの場合には、各ゾーンまたは各線速度における最適記録用レーザパワーは、内周側学習エリアで学習可能な線速度で学習した記録用レーザパワーに所定の演算を施して決定するような手法が用いられてきている。しかしながら、この手法では、実際の線速度で記録用レーザパワーを学習していないため、各ゾーンまたは各線速度における記録用レーザパワー値が、各々の最適記録用レーザパワー値から乖離してしまう可能性があった。
【０００５】
そのため、内周側学習エリアと外周側学習エリアを有する光ディスクの場合には、内周側学習エリアでは学習可能な最大線速度以下の線速度で記録用レーザパワー学習を行い、外周側学習エリアでは内周側学習エリアで学習可能な最大線速度よりも高速の線速度で実際に記録用レーザパワー学習を行うことにより、各ゾーンおよび各線速度における最適記録用レーザパワーを決定している（例えば、特許文献１参照。）
【特許文献１】特開２００３−９１８２０号公報
【発明の開示】
【発明が解決しようとする課題】
【０００６】
しかしながら、前記従来の構成では、次のような理由で外周側学習エリアの記録特性がデータエリアと大きく異なる場合に、外周側学習エリアで学習した記録用レーザパワーをデータエリアの記録に使用すると、記録品質を悪化させたり、光ディスクの記録耐久性を悪化させたりするという課題を有していた。その理由として、一般に、外周側学習エリアが配置されているディスク最外周付近は、ディスクの基材厚がデータエリアと異なり、また、ディスクチルトや面振れ等の影響が大きいため、データエリアと記録特性が異なることが知られている。
【０００７】
本発明は、前記従来の課題を解決するものであり、外周側学習エリアの記録特性がデータエリアと大きく異なる場合においても、外周側学習エリアにおいてデータエリアに最適な記録用レーザパワーを学習することができる光ディスク装置を提供することを目的とする。
【課題を解決するための手段】
【０００８】
前記従来の課題を解決するために、本発明の光ディスク装置は、データエリアの内周側および外周側に記録用レーザパワーを学習することができる内周側学習エリアおよび外周側学習エリアを有する光ディスクにデータを記録する場合に、光ディスクへのデータ記録に先立って、少なくとも１種類以上の同一線速度で前記内周側学習エリアと前記外周側学習エリアにおいて各々前記記録用レーザパワーの学習処理を実行して、前記内周側学習エリアで学習した前記記録用レーザパワーと前記外周側学習エリアで学習した前記記録用レーザパワーの関係から前記記録用レーザパワーの内外周補正係数を算出し、前記内外周補正係数を用いて前記外周側学習エリアで学習した記録用レーザパワーの値を補正することを特徴としたものである。
【発明の効果】
【０００９】
本発明の光ディスク装置によれば、データエリアの内周側および外周側に記録用レーザパワーを学習することができる内周側学習エリアおよび外周側学習エリアを有する光ディスクに記録をおこなう場合に、内周側学習エリアと外周側学習エリアにおいて各々同一の線速度でレーザパワー学習を実施し、学習したレーザパワーの関係から、内外周補正係数を求めて外周側学習エリアで学習した各線速度に対するレーザパワーを補正することができるため、外周側学習エリアとデータエリアの記録特性が異なる場合であっても、記録用レーザパワーを最適化することができる。
【発明を実施するための最良の形態】
【００１０】
以下に、本発明の光ディスク装置の実施の形態を図面とともに詳細に説明する。
【００１１】
（実施の形態１）
図１は本発明の実施の形態１における光ディスク装置の構成を示すブロック図、図２は同装置に使用される光ディスクのゾーン分割・学習エリア配置図、図３は同装置の記録用レーザパワー学習手順を示すフローチャートである。
図１において、１は光ディスクである。２はスピンドルモータであり、光ディスク１を所定の回転速度で回転させる。３は光ピックアップであり、光ディスク１にレーザを照射してデータを記録するとともに、光ディスク１からの反射光を受光する。４はトラバース駆動手段であり、ステッピングモータにより光ピックアップ３を光ディスク１の半径方向に移送させる。５は信号処理部であり、再生信号処理、サーボ信号処理、記録信号処理などを行う。６はドライバＩＣであり、信号処理部５からの制御信号に応じて、スピンドルモータ２およびトラバース駆動手段４に駆動信号を供給する。７はＣＰＵであり、決められた制御プログラムに応じて、光ディスク装置全体の制御を行う。
【００１２】
例えば、内周側学習エリアの最大記録倍速が４倍速である光ディスク装置において、光ディスク１を３つのゾーンに分割し、内周ゾーンを４倍速、中周ゾーンを６倍速、外周ゾーンを８倍速で記録する場合について説明をする。
【００１３】
まず内周側学習エリアにおいて４倍速で記録用レーザパワーの学習を行う。学習方法は、まず光ピックアップ３をトラバース駆動手段４により光ディスク１の内周側学習エリアに移動させるとともに、内周側学習エリアにおける記録線速度が４倍速となるようにスピンドルモータ２の回転速度を制御する。そして光ピックアップ３から出力される記録用レーザパワーを、例えば単調増加するように信号処理部５を制御して記録し、記録した部分を再生して得られるＲＦ信号を信号処理部５で処理して、アシンメトリ・変調度・ジッタ・エラーレート等のパラメータを検出する。これら検出したパラメータのうち少なくとも１つ以上が目標値となるような記録用レーザパワーを最適記録用レーザパワー（Ｐ４ｉｎ）として決定する。
【００１４】
次に、外周側学習エリアに移動し、同様に４倍速で記録用レーザパワー学習を行う。学習方法は、まず光ピックアップ３をトラバース駆動手段４により光ディスク１の外周側学習エリアに移動させるとともに、外周側学習エリアにおける記録線速度が４倍速となるようにスピンドルモータ２の回転速度を制御する。そして、光ピックアップ３から出力される記録用レーザパワーを例えば単調増加するように信号処理部５を制御して記録し、記録した部分を再生して得られるＲＦ信号を信号処理部５で処理してアシンメトリ・変調度・ジッタ・エラーレート等のパラメータを検出する。これら検出したパラメータのうち少なくとも１つ以上が目標値となるような記録用レーザパワーを最適記録用レーザパワー（Ｐ４ＯＵＴ）として決定する。
【００１５】
ここで得られた内周側学習エリアにおける４倍速の最適記録用レーザパワー（Ｐ４ｉｎ）と外周側学習エリアにおける４倍速の最適記録用レーザパワー（Ｐ４ＯＵＴ）の比率を、内外周差補正係数Ａとする。
【００１６】
次に、外周側学習エリアにて、６倍速および８倍速で記録用レーザパワー学習を実行し、６倍速の最適記録用レーザパワー（Ｐ６ＯＵＴ）および８倍速の最適記録用レーザパワー（Ｐ８ＯＵＴ）を導き出す。
【００１７】
学習方法は４倍速の学習方法と基本的に同じで、線速度がそれぞれ６倍速、８倍速となるようにスピンドルモータ２を制御する。
【００１８】
これら、６倍速の最適記録用レーザパワー（Ｐ６ＯＵＴ）および８倍速の最適記録用レーザパワー（Ｐ８ＯＵＴ）に、内外周差補正係数Ａを乗じ、得られたパワーを、それぞれ中周の６倍速記録ゾーンの記録用レーザパワー（Ｐ６）および外周の８倍速記録ゾーンの記録用レーザパワー（Ｐ８）とする。
【００１９】
例えば、ＤＶＤ−ＲＡＭの場合には、内周側学習エリアはＬＥＡＤ−ＩＮ  ＡＲＥＡにあるｄｒｉｖｅ  ｔｅｓｔ  ｚｏｎｅであり、外周側学習エリアはｌｅａｄ−ｏｕｔ  ａｒｅａにあるｄｒｉｖｅ  ｔｅｓｔ  ｚｏｎｅである。また、ｄｖｄ＋ｒ、ｄｖｄ＋ｒｗの場合には、内周側学習エリアはＬＥＡｄ−ｉｎ  ｚｏｎｅにあるＩＮＮＥＲ  ＤＲＩＶＥ  ＴＥＳＴ  ＺＯＮＥであり、外周側学習エリアはＬＥＡｄ−ＯＵＴ  ｚｏｎｅにあるＯＵＴＥＲ  ＤＲＩＶＥ  ＴＥＳＴ  ＺＯＮＥである。
【００２０】
内外周差補正係数Ａを決定する倍速は、内周側学習エリアの最大記録倍速に限定する必要はなく、内周側学習エリアの最大記録倍速以下の倍速であれば良い。
【００２１】
またここでは、光ディスクを４倍速、６倍速、８倍速の３つのゾーンに分割した場合について説明したが、分割するゾーン数や記録倍速については任意に設定できる。
【００２２】
以上のように、本実施の形態１においては、内周側および外周側に学習エリアを有する光ディスクにおいて、内周側学習エリアと外周側学習エリアで同一の線速度で記録用レーザパワー学習を行うことにより、内外周差補正係数を導出し、その内外周差補正係数を用いて、外周側学習エリアで学習した他の線速度における記録用レーザパワーを補正することにより、外周側学習エリアで学習した記録用レーザパワーを用いて記録したゾーンの記録性能を確保することができる。
【００２３】
（実施の形態２）
図１は本発明の実施形態２における光ディスク装置のブロック図、図２は同装置に使用される光ディスクのゾーン分割・学習エリア配置図、図４は同装置における記録用レーザパワー学習手順を示すフローチャートである。
【００２４】
ここで例えば、内周側学習エリアの最大記録倍速が４倍速である光ディスク装置において、光ディスクを３つのゾーンに分割し、内周ゾーンを４倍速、中周ゾーンを６倍速、外周ゾーンを８倍速で記録するようにした場合について説明する。
【００２５】
まず内周側学習エリアにおいて１倍速、２倍速、４倍速で記録用レーザパワーの学習を行う。学習方法は、まず光ピックアップ３をトラバース駆動手段４により光ディスク１の内周側学習エリアに移動させるとともに、内周側学習エリアにおける記録線速度が１倍速となるようにスピンドルモータ２の回転速度を制御する。そして光ピックアップ３から出力される記録用レーザパワーを例えば単調増加するように信号処理部５を制御して記録し、記録した部分を再生して得られるＲＦ信号を信号処理部５で処理してアシンメトリ・変調度・ジッタ・エラーレート等のパラメータを検出する。これら検出したパラメータのうち少なくとも１つ以上が目標値となるような記録用レーザパワーを最適記録用レーザパワー（Ｐ１ｉｎ）として決定する。
【００２６】
次に、内周側学習エリアにおける記録線速度が２倍速となるようにスピンドルモータ２の回転速度を制御する。そして光ピックアップ３から出力される記録用レーザパワーを例えば単調増加するように信号処理部５を制御して記録し、記録した部分を再生して得られるＲＦ信号を信号処理部５で処理してアシンメトリ・変調度・ジッタ・エラーレート等のパラメータを検出する。これら検出したパラメータのうち少なくとも１つ以上が目標値となるような記録用レーザパワーを最適記録用レーザパワー（Ｐ２ｉｎ）として決定する。
【００２７】
次に、内周側学習エリアにおける記録線速度が４倍速となるようにスピンドルモータ２の回転速度を制御する。そして、光ピックアップ３から出力される記録用レーザパワーを例えば単調増加するように信号処理部５を制御して記録し、記録した部分を再生して得られるＲＦ信号を信号処理部５で処理してアシンメトリ・変調度・ジッタ・エラーレート等のパラメータを検出する。これら検出したパラメータのうち少なくとも１つ以上が目標値となるような記録用レーザパワーを最適記録用レーザパワー（Ｐ４ｉｎ）として決定する。
【００２８】
次に、外周側学習エリアに移動し、同様に１倍速、２倍速、４倍速でそれぞれ記録用レーザパワー学習を行う。
【００２９】
学習方法は、まず光ピックアップ３をトラバース駆動手段４により光ディスク１の外周側学習エリアに移動させるとともに、外周側学習エリアにおける記録線速度が１倍速となるようにそれぞれスピンドルモータ２の回転速度を制御する。そして、光ピックアップ３から出力される記録用レーザパワーを例えば単調増加するように信号処理部５を制御して記録し、記録した部分を再生して得られるＲＦ信号を信号処理部５で処理してアシンメトリ・変調度・ジッタ・エラーレート等のパラメータを検出する。これら検出したパラメータのうち少なくとも１つ以上が目標値となるような記録用レーザパワーを最適記録用レーザパワー（Ｐ１ＯＵＴ）として決定する。
【００３０】
次に、外周側学習エリアにおける記録線速度が２倍速となるようにスピンドルモータ２の回転速度を制御する。そして光ピックアップ３から出力される記録用レーザパワーを例えば単調増加するように信号処理部５を制御して記録し、記録した部分を再生して得られるＲＦ信号を信号処理部５で処理してアシンメトリ・変調度・ジッタ・エラーレート等のパラメータを検出する。これら検出したパラメータのうち少なくとも１つ以上が目標値となるような記録用レーザパワーを最適記録用レーザパワー（Ｐ２ＯＵＴ）として決定する。
【００３１】
次に、外周側学習エリアにおける記録線速度が４倍速となるようにスピンドルモータ２の回転速度を制御する。そして光ピックアップ３から出力される記録用レーザパワーを例えば単調増加するように信号処理部５を制御して記録し、記録した部分を再生して得られるＲＦ信号を信号処理部５で処理してアシンメトリ・変調度・ジッタ・エラーレート等のパラメータを検出する。これら検出したパラメータのうち少なくとも１つ以上が目標値となるような記録用レーザパワーを最適記録用レーザパワー（Ｐ４ＯＵＴ）として決定する。
【００３２】
ここで得られた内周側学習エリアにおける１倍速の最適記録用レーザパワー（Ｐ１ｉｎ）と外周側学習エリアにおける１倍速の最適記録用レーザパワー（Ｐ１ＯＵＴ）の比率Ａ１と、内周側学習エリアにおける２倍速の最適記録用レーザパワー（Ｐ２ｉｎ）と外周側学習エリアにおける２倍速の最適記録用レーザパワー（Ｐ２ＯＵＴ）の比率Ａ２と、内周側学習エリアにおける４倍速の最適記録用レーザパワー（Ｐ４ｉｎ）と外周側学習エリアにおける４倍速の最適記録用レーザパワー（Ｐ４ＯＵＴ）の比率Ａ４を重み付け平均したものを、内外周差補正係数Ａとする。
【００３３】
次に、外周側学習エリアにて、６倍速および８倍速で記録用レーザパワー学習を実行し、６倍速の最適記録用レーザパワー（Ｐ６ＯＵＴ）および８倍速の最適記録用レーザパワー（Ｐ８ＯＵＴ）を導き出す。
【００３４】
学習方法は１倍速、２倍速、４倍速の学習方法と基本的に同じで、線速度がそれぞれ６倍速、８倍速となるようにスピンドルモータ２を制御する。
【００３５】
これら、６倍速の最適記録用レーザパワー（Ｐ６ＯＵＴ）および８倍速の最適記録用レーザパワー（Ｐ８ＯＵＴ）に、内外周差補正係数Ａを乗じ、得られたパワーを、それぞれ中周の６倍速記録ゾーンの記録用レーザパワー（Ｐ６）および外周の８倍速記録ゾーンの記録用レーザパワー（Ｐ８）とする。
【００３６】
内外周差補正係数Ａは、１倍速、２倍速、４倍速の３つの倍速の各比率の重み付け平均として算出しているが、記録倍速や各比率の重みは任意に設定できる。
【００３７】
ここでは、光ディスクを４倍速、６倍速、８倍速の３つのゾーンに分割した場合について説明したが、分割するゾーン数や記録倍速については任意に設定できる。
【００３８】
以上のように、本実施の形態２においては、内周側および外周側に学習エリアを有する光ディスクにおいて、内周側学習エリアと外周側学習エリアで複数の同一線速度で記録用レーザパワー学習を行うことにより、１つの同一線速度で内外周差補正係数を導出するよりも高精度に内外周差補正係数を導出でき、その内外周差補正係数を用いて、外周側学習エリアで学習した他の線速度における記録用レーザパワーを補正することにより、外周側学習エリアで学習した記録用レーザパワーを用いて記録したゾーンの記録性能を確保することができる。
【００３９】
（実施の形態３）
図１は本発明の実施の形態３における光ディスク装置のブロック図、図２は同装置に使用される光ディスクのゾーン分割・学習エリア配置図、図５は同装置における記録用レーザパワー学習手順を示すフローチャートである。
【００４０】
例えば、内周側学習エリアの最大記録倍速が４倍速である光ディスク装置において、光ディスクを３つのゾーンに分割し、内周ゾーンを４倍速、中周ゾーンを６倍速、外周ゾーンを８倍速で記録するようにした場合について説明する。
【００４１】
まず内周側学習エリアにおいて４倍速で記録用レーザパワーの学習を行う。学習方法は、まず光ピックアップ３をトラバース駆動手段４により光ディスク１の内周側学習エリアに移動させるとともに、内周側学習エリアにおける記録線速度が４倍速となるようにスピンドルモータ２の回転速度を制御する。そして光ピックアップ３から出力される記録用レーザパワーを例えば単調増加するように信号処理部５を制御して記録し、記録した部分を再生して得られるＲＦ信号を信号処理部５で処理してアシンメトリ・変調度・ジッタ・エラーレート等のパラメータを検出する。これら検出したパラメータのうち少なくとも１つ以上が目標値となるような記録用レーザパワーを最適記録用レーザパワー（Ｐ４ｉｎ）として決定する。
【００４２】
次に、外周側学習エリアに移動し、同様に４倍速で記録用レーザパワー学習を行う。学習方法は、まず光ピックアップ３をトラバース駆動手段４により光ディスク１の外周側学習エリアに移動させるとともに、外周側学習エリアにおける記録線速度が４倍速となるようにスピンドルモータ２の回転速度を制御する。そして光ピックアップ３から出力される記録用レーザパワーを例えば単調増加するように信号処理部５を制御して記録し、記録した部分を再生して得られるＲＦ信号を信号処理部５で処理してアシンメトリ・変調度・ジッタ・エラーレート等のパラメータを検出する。これら検出したパラメータのうち少なくとも１つ以上が目標値となるような記録用レーザパワーを最適記録用レーザパワー（Ｐ４ＯＵＴ）として決定する。
【００４３】
ここで得られた外周側学習エリアにおける４倍速の最適記録用レーザパワー（Ｐ４ＯＵＴ）に対する内周側学習エリアにおける４倍速の最適記録用レーザパワー（Ｐ４ｉｎ）の比率が、予め決められた所定比率Ｒ１およびＲ２の範囲を超えていれば、外周側学習エリアの学習結果が信用できないと判断し、外周側学習エリアを使用不可とする。これに伴い、外周側学習エリアでしか学習できない６倍速、８倍速の記録倍速を使用禁止とし、内周側学習エリアで学習可能な４倍速を、この光ディスクの記録可能最大倍速とする。
【００４４】
逆に、外周側学習エリアにおける４倍速の最適記録用レーザパワー（Ｐ４ＯＵＴ）に対する内周側学習エリアにおける４倍速の最適記録用レーザパワー（Ｐ４ｉｎ）の比率が、予め決められた所定比率Ｒ１およびＲ２の範囲に入っていれば、外周側学習エリアの学習結果が信用できると判断し、外周側学習エリアで、中周の６倍速記録ゾーンの記録用レーザパワー（Ｐ６）および外周の８倍速記録ゾーンの記録用レーザパワー（Ｐ８）を決定する。
【００４５】
ここで、所定比率Ｒ１は０．９、Ｒ２は１．１である。これは、内周側学習エリアと外周側学習エリアの記録特性が同一であれば、理想的には最適記録用レーザパワーの比率が１．０となるはずであるが、現実的には記録用レーザパワー学習の学習誤差が存在するため、必ずしも最適記録用レーザパワーの比率が１．０となるわけではない。そのため、記録用レーザパワー学習の学習誤差を±１０％まで許容するように、所定比率Ｒ１およびＲ２を決定している。
【００４６】
内周側学習エリアと外周側学習エリアの最適記録用レーザパワーの比率から、外周側学習エリアの使用可否を決定するための記録倍速は、内周側学習エリアの最大記録倍速に限定する必要はなく、内周側学習エリアの最大記録倍速以下の倍速であれば良い。
【００４７】
ここでは、光ディスクを４倍速、６倍速、８倍速の３つのゾーンに分割した場合について説明したが、分割するゾーン数や記録倍速については任意に設定できる。
以上のように、本実施の形態３においては、内周側および外周側に学習エリアを有する光ディスクにおいて、内周側学習エリアと外周側学習エリアで同一の線速度で記録用レーザパワー学習を行い、得られた内周側学習エリアの最適記録用レーザパワーと外周側学習エリアの最適記録用レーザパワーの比率から、外周側学習エリアの学習結果の信頼性を確認することができるため、不適切な記録用レーザパワーでデータエリアを記録することを防止できる。
【産業上の利用可能性】
【００４８】
本発明にかかる光ディスク装置は、内外周に記録用レーザパワー学習エリアを有する光ディスクを複数のゾーンに分割して記録する場合において、分割された各ゾーンの最適記録用レーザパワーを精度よく決定する手段を有し、光ディスクの高倍速記録時の記録性能を向上させるための手段として有用である。
【図面の簡単な説明】
【００４９】
【図１】本発明の実施の形態における光ディスク装置のブロック図
【図２】本発明の実施の形態における光ディスクのゾーン分割・学習エリア配置図
【図３】本発明の実施の形態１における記録用レーザパワー学習手順を示すフローチャート
【図４】本発明の実施の形態２における記録用レーザパワー学習手順を示すフローチャート
【図５】本発明の実施の形態３における記録用レーザパワー学習手順を示すフローチャート
【符号の説明】
【００５０】
１  光ディスク
２  スピンドルモータ
３  光ピックアップ
４  トラバース駆動手段
５  信号処理部
６  ドライバＩＣ
７  ＣＰＵ
【図１】
2006172529.tif 000003
【図２】
2006172529.tif 000004
【図３】
2006172529.tif 000005
【図４】
2006172529.tif 000006
【図５】
2006172529.tif 000007